(57)【特許請求の範囲】
【請求項１】
コンテンツ及び前記コンテンツを編集するスクリプト群を受信するデータ受信部と、
前記データ受信部により受信されたスクリプト群の中で実行すべきスクリプトを選択するスクリプト選択部と、
前記スクリプト選択部により選択されたスクリプトを解釈するスクリプト解釈部と、
前記スクリプト解釈部により出力された編集手順に基づきコンテンツの編集処理を行なう編集部と、
前記コンテンツ及びスクリプト群を蓄積する蓄積部と、
コンテンツ及びスクリプト群を表示する表示部と、
全体の制御を行なう制御部と、
を備え、前記スクリプトには、データ受信装置のＩＤに応じて編集処理を変更する記述が含まれ、前記編集部は、前記ＩＤに応じて編集処理を変更するデータ受信装置。
【請求項２】
コンテンツ及び前記コンテンツを編集するスクリプト群を受信するデータ受信部と、
前記データ受信部により受信されたスクリプト群の中で実行すべきスクリプトを選択するスクリプト選択部と、
前記スクリプト選択部により選択されたスクリプトを解釈するスクリプト解釈部と、
前記スクリプト解釈部により出力された編集手順に基づきコンテンツの編集処理を行なう編集部と、
前記コンテンツ及びスクリプト群を蓄積する蓄積部と、
コンテンツ及びスクリプト群を表示する表示部と、
全体の制御を行なう制御部と、
を備え、前記スクリプトには、データ受信装置の蓄積部の空き容量に応じて編集処理を変更する記述が含まれ、前記編集部は、前記空き容量に応じて編集処理を変更するデータ受信装置。
【請求項３】
受信したスクリプトに基づいてコンテンツが編集されるデータ受信装置に対してデータを送るデータ送信装置において、
前記コンテンツを編集するためのスクリプト群を生成するスクリプト生成部と、
コンテンツ及びスクリプト群を送信するデータ送信部と、
を備え、前記スクリプト生成部は、前記データ受信装置のＩＤに応じて編集処理を変更できるスクリプトを生成するデータ送信装置。
【請求項４】
受信したスクリプトに基づいてコンテンツが編集されるデータ受信装置に対してデータを送るデータ送信装置において、
前記コンテンツを編集するためのスクリプト群を生成するスクリプト生成部と、
コンテンツ及びスクリプト群を送信するデータ送信部と、
を備え、前記スクリプト生成部は、前記データ受信装置の蓄積部の空き容量に応じて編集処理を変更できるスクリプトを生成するデータ送信装置。
【請求項５】
コンテンツの編集方法であって、前記コンテンツを受信したデータ受信装置が実行するところの、
コンテンツ及びコンテンツを編集するスクリプト群を受信するステップと、
受信したスクリプト群の中で実行すべきスクリプトを選択するステップと、
選択したスクリプトを解釈することで前記コンテンツの編集手順を得るステップと、
前記編集手順に基づきコンテンツの編集処理を行なうステップと、
を有し、前記スクリプトには、データ受信装置のＩＤに応じて編集処理を変更する記述が含まれており、コンテンツの編集処理を行うステップにおける編集処理には、前記ＩＤに応じて編集処理を変更する処理が含まれるコンテンツ編集方法。
【請求項６】
コンテンツの編集方法であって、前記コンテンツを受信したデータ受信装置が実行するところの、
コンテンツ及びコンテンツを編集するスクリプト群を受信するステップと、
受信したスクリプト群の中で実行すべきスクリプトを選択するステップと、
選択したスクリプトを解釈することで前記コンテンツの編集手順を得るステップと、
前記編集手順に基づきコンテンツの編集処理を行なうステップと、
を有し、前記スクリプトには、データ受信装置の蓄積部の空き容量に応じて編集処理を変更する記述が含まれており、コンテンツの編集処理を行うステップにおける編集処理は、前記空き容量に応じて編集処理を変更する処理が含まれるコンテンツ編集方法。
【発明の詳細な説明】
【０００１】
【発明の属する技術分野】
本発明は、データ受信装置及びデータ送信装置、より具体的には、ディジタル放送あるいはインターネット経由で送信されるコンテンツを受信して、記録するデータ受信装置、及び、ディジタル放送あるいはインターネット経由でコンテンツを送信するデータ送信装置に関するものである。
【０００２】
【従来の技術】
以下、近年ディジタル放送の発達により多チャネルの放送番組が提供される用になって来ており、またその放送番組をデータ送信装置によってデータとして提供し、ユーザ側においてデータ受信装置により受信し蓄積するとともに編集して視聴する方式が提案されてきている。そのようなデータの受信および送信に関する従来の技術について、図面を参照しながら説明する。
【０００３】
図１１は従来例におけるデータ受信装置の構成図を示し、図１１において、６０１はディジタル放送あるいはインターネット経由で送信されるデータを受信し、表示あるいは蓄積すべきコンテンツを分離するデータ受信部、６０２はコンテンツを表示する表示部、６０３はコンテンツを蓄積する蓄積部、６０４は全体の制御を行なう制御部である。
【０００４】
以上のように構成されたデータ受信装置について、以下、その動作を説明する。まず、コンテンツを表示する場合は、制御部６０４は、以下のように、データ受信部６０１、表示部６０２を制御する。すなわち、データ受信部６０１は、受信したデータから表示すべきコンテンツを分離して、表示部６０２に転送する。表示部６０２は、転送されたコンテンツを表示する。
【０００５】
次に、コンテンツを蓄積する場合は、制御部６０４は、以下のように、データ受信部６０１、蓄積部６０３を制御する。すなわち、データ受信部６０１は、受信したデータから蓄積すべきコンテンツを分離して、蓄積部６０３に転送する。蓄積部６０３は、転送されたコンテンツを蓄積する。ここで、コンテンツを蓄積しながら表示する場合には、データ受信部６０１から蓄積部６０３へコンテンツ転送するときに同時に表示部６０２へコンテンツを転送する。
【０００６】
最後に、蓄積部６０３に蓄積されたコンテンツを再生する場合は、制御部６０４は、以下のように、表示部６０２、蓄積部６０３を制御する。すなわち、蓄積部６０３は、再生すべきコンテンツを表示部６０２に転送する。表示部６０２は、転送されたコンテンツを表示する。
【０００７】
一方、図１２は従来例におけるデータ送信装置の構成図を示し、図１２において、７０１はコンテンツを蓄積するコンテンツ蓄積部、７０２はコンテンツをディジタル放送あるいはインターネット経由で送信するデータ送信部、７０３は全体の動作を制御する制御部である。
【０００８】
以上のように構成されたデータ送信装置について、以下、その動作を説明する。制御部７０３は、コンテンツ蓄積部７０１の送信すべきコンテンツをデータ送信部７０２に転送する。データ送信部７０２はコンテンツをディジタル放送あるいはインターネット経由で送信する。
【０００９】
【発明が解決しようとする課題】
このデータ受信装置においては、ディジタル放送あるいはインターネット経由で送信されるコンテンツを受信するのみで、記録時あるいは再生時にデータ受信装置側で選択できるコンテンツの種類が制限されるという課題があった。
【００１０】
本発明は、１つあるいは複数のコンテンツに対して比較的簡単な編集を施して作成されるコンテンツを選択肢に加え、それらのコンテンツが選択された場合には、データ受信装置側で編集してコンテンツを作成することにより、記録時あるいは再生時に選択できるコンテンツの種類を多くすることを目的とする。
【００１１】
【課題を解決するための手段】
この課題を解決するために、コンテンツ及びコンテンツを編集するスクリプト群を受信するデータ受信部と、前記データ受信部により受信されたスクリプト群の中で実行すべスクリプトを選択するスクリプト選択部と、前記スクリプト選択部により選択されたスクリプトを解釈するスクリプト解釈部と、前記スクリプト解釈部により出力された編集手順に基づきコンテンツの編集処理を行なう編集部と、コンテンツ及びスクリプト群を蓄積する蓄積部と、コンテンツ及びスクリプト群を表示する表示部と、全体の制御を行なう制御部とを備えたものである。
【００１２】
これにより、１つあるいは複数のコンテンツに対して比較的簡単な編集を施して作成されるコンテンツを選択肢に加え、それらのコンテンツが選択された場合には、データ受信装置側で編集してコンテンツを作成することにより、記録時あるいは再生時に選択できるコンテンツの種類を多くすることができる。
【００２１】
本発明の請求項１に記載の発明は、データ受信装置に、コンテンツ及び前記コンテンツを編集するスクリプト群を受信するデータ受信部と、前記データ受信部により受信されたスクリプト群の中で実行すべきスクリプトを選択するスクリプト選択部と、前記スクリプト選択部により選択されたスクリプトを解釈するスクリプト解釈部と、前記スクリプト解釈部により出力された編集手順に基づきコンテンツの編集処理を行なう編集部と、前記コンテンツ及びスクリプト群を蓄積する蓄積部と、コンテンツ及びスクリプト群を表示する表示部と、全体の制御を行なう制御部と、を備え、前記スクリプトには、データ受信装置のＩＤに応じて編集処理を変更する記述が含まれ、前記編集部は、前記ＩＤに応じて編集処理を変更するものである。この構成によれば、スクリプトを解釈してそのスクリプトが指示する内容に沿うコンテンツになるよう編集することにより、バラエティに富んだ番組を視聴できるという作用を有する。また、自装置に適した編集を行なうことにより、バラエティに富んだコンテンツを提供することができるという作用を有する。
【００２２】
本発明の請求項２に記載の発明は、データ受信装置に、コンテンツ及び前記コンテンツを編集するスクリプト群を受信するデータ受信部と、前記データ受信部により受信されたスクリプト群の中で実行すべきスクリプトを選択するスクリプト選択部と、前記スクリプト選択部により選択されたスクリプトを解釈するスクリプト解釈部と、前記スクリプト解釈部により出力された編集手順に基づきコンテンツの編集処理を行なう編集部と、前記コンテンツ及びスクリプト群を蓄積する蓄積部と、コンテンツ及びスクリプト群を表示する表示部と、全体の制御を行なう制御部と、を備え、データ受信装置の蓄積部の空き容量に応じて編集処理を変更する記述が含まれ、前記編集部は、前記空き容量に応じて編集処理を変更するものである。この構成によれば、スクリプトを解釈してそのスクリプトが指示する内容に沿うコンテンツになるよう編集することにより、バラエティに富んだ番組を視聴できるという作用を有する。また、自装置の空き容量に応じた編集を行なうことにより、バラエティに富んだコンテンツを提供できるという作用を有する。
【００２５】
本発明の請求項３に記載の発明は、受信したスクリプトに基づいてコンテンツが編集されるデータ受信装置に対してデータを送るデータ送信装置において、前記コンテンツを編集するためのスクリプト群を生成するスクリプト生成部と、コンテンツ及びスクリプト群を送信するデータ送信部とを備え、前記スクリプト生成部は、前記データ受信装置のＩＤに応じて編集処理を変更できるスクリプトを生成するものである。この構成によれば、データ受信装置ごとに、或いはデータ受信装置のグループごとに異なった編集を行なうことにより、バラエティに富んだコンテンツを提供することができるという作用を有する。また、データ受信装置側では、自装置に適した編集を行なうことができ、バラエティに富んだコンテンツを提供することができるという作用を有する。
【００２６】
本発明の請求項４に記載の発明は、受信したスクリプトに基づいてコンテンツが編集されるデータ受信装置に対してデータを送るデータ送信装置において、前記コンテンツを編集するためのスクリプト群を生成するスクリプト生成部と、コンテンツ及びスクリプト群を送信するデータ送信部とを備え、前記スクリプト生成部は、前記データ受信装置の蓄積部の空き容量に応じて編集処理を変更できるスクリプトを生成するものである。この構成によれば、データ受信装置ごとに、或いはデータ受信装置のグループごとに異なった編集を行なうことにより、バラエティに富んだコンテンツを提供することができるという作用を有する。また、データ受信装置側では、自装置の空き容量に応じた編集を行なうことができ、バラエティに富んだコンテンツを提供できるという作用を有する。
【００２９】
本発明の請求項５に記載の発明は、コンテンツの編集方法であって、前記コンテンツを受信したデータ受信装置が実行するところの、コンテンツ及びコンテンツを編集するスクリプト群を受信するステップと、受信したスクリプト群の中で実行すべきスクリプトを選択するステップと、選択したスクリプトを解釈することで前記コンテンツの編集手順を得るステップと、前記編集手順に基づきコンテンツの編集処理を行なうステップと、を有し、前記スクリプトには、データ受信装置のＩＤに応じて編集処理を変更する記述が含まれており、コンテンツの編集処理を行うステップにおける編集処理には、前記ＩＤに応じて編集処理を変更する処理が含まれるものである。この構成によれば、ユーザにとってはスクリプトの選択により自分の好みに合わせてコンテンツを編集することができるという作用を有する。また、自装置に適した編集を行なうことにより、バラエティに富んだコンテンツを提供できるという作用を有する。
【００３０】
本発明の請求項６に記載の発明は、コンテンツの編集方法であって、前記コンテンツを受信したデータ受信装置が実行するところの、コンテンツ及びコンテンツを編集するスクリプト群を受信するステップと、受信したスクリプト群の中で実行すべきスクリプトを選択するステップと、選択したスクリプトを解釈することで前記コンテンツの編集手順を得るステップと、前記編集手順に基づきコンテンツの編集処理を行なうステップと、を有し、前記スクリプトには、データ受信装置の蓄積部の空き容量に応じて編集処理を変更する記述が含まれており、コンテンツの編集処理を行うステップにおける編集処理は、前記空き容量に応じて編集処理を変更する処理が含まれるものである。この構成によれば、ユーザにとってはスクリプトの選択により自分の好みに合わせてコンテンツを編集することができるという作用を有する。また、自装置の空き容量に応じた編集を行なうことにより、バラエティに富んだコンテンツを提供できるという作用を有する。
【００６６】
以下、本発明の実施の形態について、図１から図８を用いて説明する。
【００６７】
（実施の形態１）
図１は本発明の第１の実施形態におけるデータ受信装置の構成を示すブロック図である。この第１の実施の形態に係るデータ受信装置はコンテンツ及びコンテンツを編集するスクリプト群をディジタル放送経由で受信するタイプのデータ受信装置である。図１において、１０１はコンテンツ及びスクリプト群を含むディジタル放送データを受信し、コンテンツとスクリプト群を分離するデータ受信部、１０２は受信したスクリプト群から実行すべきスクリプトを選択するスクリプト選択部、１０３は選択されたスクリプトを解釈するスクリプト解釈部、１０４はスクリプトを解釈して得られた編集手順に基づいてコンテンツを編集する編集部、１０５はコンテンツを表示する表示部、１０６はコンテンツ、或いはコンテンツとスクリプト群の両方を蓄積する蓄積部、１０７はデータ受信装置全体の制御を行なう制御部である。
【００６８】
以上のように構成された第１の実施の形態に係るデータ受信装置について、以下、その動作を説明する。まず、第１の動作例として、スクリプトを解釈して蓄積時にコンテンツを編集する場合について説明する。データ受信部１０１は受信したディジタル放送データから蓄積すべきコンテンツとそのコンテンツを編集する手順を示すスクリプト群を分離して、コンテンツは編集部１０４へ、スクリプト群はスクリプト選択部１０２へ転送する。スクリプト選択部１０２は転送されたスクリプト群を図２のように表示部１０５に表示し、ユーザに実行すべきスクリプトの選択を促す。このようにスクリプト選択部１０２が、スクリプト群を表示部１０５に表示してユーザとインタラプティブ、すなわち対話形式でスクリプトを選択するようにしているから、ユーザにとってはスクリプトを選択することにより自分の好みに合わせてコンテンツを編集することができる。図２はディジタル放送により送られてきたデータについてのスクリプト群の一例を示す図である。この例では受信されたデータ内容（番組）が映画「ジュラシックパーク」に関するものであり、この番組のコンテンツからは、
Ａ．ノーカット版
Ｂ．ダイジェスト版
Ｃ．メーキング版
Ｄ．ＮＧ付き版
のものが編集可能であることをＡ、Ｂ、Ｃ、Ｄのスクリプトによって示すとともに、これらＡ〜Ｄのスクリプトを選択できることを示している。
【００６９】
ユーザがスクリプトＡ〜Ｄのうちのいずれかを選択したら、選択されたスクリプトをスクリプト解釈部１０３に転送する。スクリプト解釈部１０３はスクリプトを解釈し、編集部にコンテンツの編集手順を指示する。編集部１０４は編集手順に基づきコンテンツを編集して蓄積部１０６に編集されたコンテンツを蓄積する。スクリプト例とコンテンツの編集例とを図３、図４に示す。図３は図２に示したスクリプト群の中から選択されたスクリプトに基づいて編集動作を行なうためのスクリプトを示す図である。したがって図３のスクリプトは図２のスクリプトに対しては１段下層（より具体的な動作を表示する）のスクリプトであるといえる。ここでは、上記図２に示したスクリプト群の中から選択されたスクリプトは「Ｂ．ダイジェスト版」であるとする。そして、図３のスクリプトは、このダイジェスト版を編集するには次の動作が必要であることを表示或いは記述（指  示）している。
ｃｕｔ  Ａ：  コンテンツの中から「Ａ」のデータを切り出す。
ｃｕｔ  Ｂ：  コンテンツの中から「Ｂ」のデータを切り出す。
ｃｕｔ  Ｃ：  コンテンツの中から「Ｃ」のデータを切り出す。
ｃｏｎｃａｔｅｎａｔｅ  Ａ，Ｂ，Ｃ：コンテンツの中から切り出した「Ａ，Ｂ，Ｃ」のデータを結合させる。
【００７０】
図４は図３に示されたスクリプトの記述にしたがい編集部１０４が編集動作を行なってダイジェスト版のコンテンツを作成する手順を説明する図である。図４に示すように、編集部１０４はスクリプトの記述にしたがって編集動作を行ない、コンテンツ１からデータＡとデータＣ、コンテンツ２からデータＢをそれぞれ切り出し、その後データＡ，Ｂ，Ｃを結合させてコンテンツ３を作成する。
【００７１】
ここで、制御部１０７またはスクリプト選択部１０２にユーザの興味や嗜好に関する情報をユーザからの申告、或いはユーザの過去におけるスクリプト選択行動（いわゆる選択履歴）を解析して予め登録しておき、スクリプト群から実行すべきスクリプトを選択するとき、予め登録されたユーザの興味や嗜好情報に基づいてスクリプト選択部１０２が自動的に選択することもできる。また、コンテンツの編集例として、既に蓄積部に蓄積されているコンテンツと受信したコンテンツが同じ場合は、コンテンツの更新、さらに、蓄積部に蓄積されているコンテンツに対して、受信したコンテンツあるいはシーンの追加、挿入を行なうとができる。
【００７２】
そして、この第１の動作例の場合は、再生時には、単に再生すべき番組を指定するのみで蓄積部１０６からは編集されたコンテンツが読み出され表示部１０５に表示されるから視聴者はその番組を視聴することができる。
次に、第２の動作例として、蓄積時にはコンテンツを編集せずに、コンテンツとスクリプト群の両方を蓄積部１０６に蓄積し、再生時にスクリプトを解釈してコンテンツを編集する場合について説明する。データ受信部１０１は受信したディジタル放送データから蓄積すべきコンテンツとそのコンテンツを編集する手順を示すスクリプト群を分離して、コンテンツは編集部１０４へ、スクリプト群はスクリプト選択部１０２へ転送する。この第２の動作では蓄積時にはコンテンツを編集しないから、制御部１０７は編集部１０４およびスクリプト選択部１０２のいずれをも動作させず、転送されたコンテンツおよびスクリプト群をそのまま蓄積部１０６に蓄積する。
【００７３】
そして、この第２の動作例の場合は、再生時に、制御部１０７は蓄積部１０６からコンテンツおよびスクリプト群を読み出し、コンテンツは編集部１０４へ、スクリプト群はスクリプト選択部１０２に転送する。以後は、上記第１の動作例における蓄積時にコンテンツを編集する場合と同様にスクリプト選択部１０２は転送されたスクリプト群を図２のように表示部１０５に表示し、ユーザに実行すべきスクリプトの選択を促す。ユーザが１つのスクリプトを選択したら、選択されたスクリプトをスクリプト解釈部１０３に転送する。スクリプト解釈部１０３はスクリプトを解釈し、編集部にコンテンツの編集手順を指示する。編集部１０４は編集手順に基づきコンテンツを編集して表示部１０５に編集されたコンテンツを表示する。コンテンツの編集例及びスクリプト例は、上記第１の動作例の蓄積時に編集する場合と同様である。ここで、スクリプト群から実行すべきスクリプトを選択するとき、予め登録されたユーザの興味や嗜好に基づいてスクリプト選択部１０２が自動的に選択することも考えられる。
【００７４】
一方、図８は本発明の第１の実施形態におけるデータ送信装置の構成を示すブロック図である。図８において、５０１はコンテンツを蓄積するコンテンツ蓄積部、５０２はコンテンツを編集するためのスクリプト群を生成するスクリプト生成部、５０３はコンテンツ及びスクリプト群をディジタル放送経由で送信するデータ送信部、５０４はデータ送信装置全体の動作を制御する制御部である。
【００７５】
以上のように構成されたデータ送信装置について、以下、その動作を説明する。制御部５０４は、スクリプト生成部５０２に指示して、送信すべきコンテンツを編集するスクリプト群を生成し、コンテンツ及びスクリプト群をデータ送信部５０３に転送する。データ送信部５０３はコンテンツ及びスクリプト群をディジタル放送経由で送信する。
【００７６】
ここで、スクリプトとしては、上記のようにコンテンツを編集するためにのみ生成されるのではなく、種々の動作制御を行なうために生成されてもよい。図５は個々のデータ受信装置にＩＤ＝１、ＩＤ＝２、ＩＤ＝３、・・・・、ＩＤ＝６のように装置ＩＤを付与し、データ受信装置のＩＤに応じてデータの送受信動作や編集動作といった各種処理を変更できるようにした例を示す図である。また、図５は幾つかの装置ＩＤを付与されたデータ受信装置をグループ化し、個々のグループにグループＩＤ＝１、グループＩＤ＝２、・・・・のようにグループＩＤを付与し、グループＩＤに応じてデータの送受信動作や編集動作といった各種処理を変更できるようにした例をも示している。
【００７７】
図６は、図５のようにグループＩＤを付与された受信装置のグループに対して、グループＩＤに応じて処理を変更するためのスクリプトの例を示した図である。この図に示されたスクリプトは、グループＩＤに応じて以下の動作を実行すべきことを表示或いは記述（指示）している。
ｓｗｉｔｃｈ（グループＩＤ）：  グループＩＤに応じて処理を変更する。
ｃａｓｅ  １：  スクリプト１；：  グループＩＤ＝１のときはスクリプト１にしたがった処理を実行する。
ｃａｓｅ  ２：  スクリプト２；：  グループＩＤ＝２のときはスクリプト２にしたがった処理を実行する。
という具合である。
【００７８】
このように、グループＩＤに応じて異なる動作を実行するため、種々の送受信動作或いはコンテンツ編集動作を実現することができる。また、上記のようなＩＤに応じた処理の変更とは異なり、受信装置の状況に応じて処理を変更するように図ることもできる。図７はそのような処理の変更の一例を示す図で、この図は、データ受信装置の蓄積部１０６の空き記憶容量によって処理を選択するためのスクリプトの例を示した図である。この図に示されたスクリプトは、受信装置の空き記憶容量に応じて以下の動作を実行すべきことを表示或いは記述（指示）している。
ｉｆ（空き記憶容量＜ＣＯＮＴＥＮＴ ＳＩＺＥ）：  受信装置の空き記憶容量ＧＡコンテンツのデータサイズより小さい場合、
ダイジェスト版：  ダイジェスト版を作成する。
ｅｌｓｅ：  その他の場合、
ノーカット版：  ノーカット版を作成する。
という具合である。このようにスクリプトの生成のしかたにより種々の処理や動作を選択し、或いは実行することが可能となる。
【００７９】
以上のように、本実施の形態では、コンテンツ及びコンテンツを編集するスクリプト群を受信するデータ受信部１０１と、前記データ受信部１０１により受信されたスクリプト群の中で実行すべスクリプトを選択するスクリプト選択部１０２と、前記スクリプト選択部１０２により選択されたスクリプトを解釈するスクリプト解釈部１０３と、前記スクリプト解釈部１０３により出力された編集手順に基づきコンテンツの編集処理を行なう編集部１０４と、コンテンツ及びスクリプト群を蓄積する蓄積部１０６と、コンテンツ及びスクリプト群を表示する表示部１０６と、全体の制御を行なう制御部１０７とを備えたことにより、１つあるいは複数のコンテンツに対して比較的簡単な編集を施して作成されるコンテンツを選択肢に加え、それらのコンテンツが選択された場合には、データ受信装置側で編集してコンテンツを作成することにより、記録時あるいは再生時に選択できるコンテンツの種類を多くすることができる。
【００８０】
また、コンテンツを蓄積するコンテンツ蓄積部５０１と、それぞれのコンテンツに対して編集を行なうスクリプト群を生成するスクリプト生成部５０２と、コンテンツ及びスクリプト群をデータとして送信するデータ送信部５０３とを備え、前記スクリプト生成部５０２が、データ受信装置のＩＤに応じて編集処理を変更できるスクリプトを生成することにより、あるいは、データ受信装置の蓄積部１０６の空き容量により編集処理を変更できるスクリプトを生成することにより、データ送信装置側で、データ受信装置での編集処理を制御することができる。
【００８１】
（実施の形態２）
図９は本発明の第２の実施形態におけるデータ受信装置の構成を示すブロック図である。この第２の実施の形態に係るデータ受信装置は、上記第１の実施の形態に係るデータ受信装置がコンテンツ及びコンテンツを編集するスクリプト群をディジタル放送経由で受信するタイプの装置であったのに対して、それ以外の方法でデータ受信するようになっており、且つデータ受信装置側からデータ送信側へデータを送信する機能をも有しているタイプの装置を示すものである。
【００８２】
図９において、１１０１はコンテンツ及びスクリプト群を含むデータを受信し、コンテンツとスクリプト群を分離するデータ受信部、１１０２は受信したスクリプト群から実行すべきスクリプトを選択するスクリプト選択部、１１０３は選択されたスクリプトを解釈するスクリプト解釈部、１１０４はスクリプトを解釈して得られた編集手順に基づいてコンテンツを編集する編集部、１１０５はコンテンツを表示する表示部、１１０６はコンテンツ、或いはコンテンツとスクリプト群の両方を蓄積する蓄積部、１１０７はデータ受信装置全体の制御を行なう制御部であり、これらの各機能部の構成および作用は上記第１の実施の形態に係るデータ受信装置の各対応する機能部と基本的に同じである。
【００８３】
また、１１０８はデータ受信装置側からデータ送信装置側へデータを送出するデータ送信部、１１０９はデータ受信装置の制御部１１０７へ各種データあるいば指令を入力するためのキーボードなどのデータ入力部、１１１０は蓄積部１１０６に格納される各種データを記憶媒体から読み取ったり、逆に蓄積部１１０６に蓄積されていたデータを記憶媒体に書き込んだりする記録・再生手段としてのディスク装置、１１１１はデータ入力部１１０９やディスク装置１１１０などとデータ受信装置との接続のマッチングをとるインターフェース、１１１２はディジタル放送によって送られてきたデータを取り込むアンテナ、１１１３はデータを送受信するための通信ネットワークである。
【００８４】
データ受信部１１０１はアンテナ１１１２および通信ネットワーク１１１３に接続されている。データ送信部１１０８は、例えば上記第１の実施の形態についてみるならば、自己装置（データ受信装置）の蓄積部１１０６の空き記憶容量はどれだけあるのかといった事柄や、自己装置のＩＤ番号或いはグループＩＤはいくつであるといったような情報をデータとして送出するものであり、通信ネットワーク１１１３に接続されている。ディスク装置１１１０にはＣＤ、光磁気ディスク或いはＤＶＤ−ＲＡＭ（書き換え可能なディジタル・ビデオ・ディスク）などの可搬型記憶媒体１２００を駆動してデータ受信装置にデータを入力したり読み出したりする記録、再生用のドライバーが組み込まれている。ディスク装置１１１０からデータ受信装置へ取り込まれるデータとしてはコンテンツ編集ようのスクリプト群などがある。アンテナ１１１２はディジタル放送電波を受信するためのものである。また、通信ネットワーク１１１３としては、インターネット、公衆回線など種々の通信網がある。
【００８５】
図１０は本発明の第２の実施形態におけるデータ送信装置の構成を示すブロック図である。この第２の実施の形態に係るデータ送信装置は、上記第１の実施の形態に係るデータ送信装置がコンテンツ及びコンテンツを編集するスクリプト群をディジタル放送経由で送信するタイプの装置であったのに対して、それ以外の方法でデータを送信するようになっており、且つデータ受信装置側から送信されてきたデータを受信する機能をも有しているタイプの装置を示すものである。
【００８６】
図１０において、１５０１はコンテンツを蓄積するコンテンツ蓄積部、１５０２はコンテンツを編集するためのスクリプト群を生成するスクリプト生成部、１５０３はコンテンツ及びスクリプト群をディジタル放送経由で送信するデータ送信部、１５０４はデータ送信装置全体の動作を制御する制御部である。
【００８７】
また、１５０５はデータ受信装置側からデータ送信装置側へ送信されたデータを受信するデータ受信部、１５０６はデータ送信装置の制御部１５０４へ各種データあるいば指令を入力するためのキーボードなどのデータ入力部、１５０７はスクリプト群生成部１５０２において生成されたスクリプト群のデータを記憶媒体に書き込むための記録手段としてのディスク装置、１５０８はデータ入力部１５０６やディスク装置１５０７などとデータ送信装置との接続のマッチングをとるインターフェース、１５０９はディジタル放送の放送電波を発信するアンテナ、１１１３はデータを送受信するための通信ネットワークである。
【００８８】
データ送信部１５０３はアンテナ１５０９および通信ネットワーク１１１３に接続されている。データ受信部１５０５は、データ受信装置側からデータ送信装置側へ送信されたデータ、例えば上記第１の実施の形態についてみるならば、データ受信装置の蓄積部１１０６の空き記憶容量はどれだけあるのかといった事柄や、そのデータ受信装置のＩＤ番号やグループＩＤはいくつであるといったような情報を受信するものであり、通信ネットワーク１１１３に接続されている。ディスク装置１５０７にはＣＤ、光磁気ディスク或いはＤＶＤ−ＲＡＭ（書き換え可能なディジタル・ビデオ・ディスク）などの可搬型記憶媒体１２００を駆動してデータ送信装置からデータを読み出し記録するドライバーが組み込まれている。また、通信ネットワーク１１１３としては、インターネット、公衆回線など種々の通信網がある。
【００８９】
以上のように構成されたデータ受信装置およびデータ送信装置について、以下、その動作、とりわけコンテンツおよびスクリプト群の送受信動作について説明する。
【００９０】
（送受信動作１）
この送受信動作では、データ受信装置のデータ受信部１１０１が、コンテンツはアンテナ１１１２から放送電波を取り込むことによりディジタル放送経由で受信し、コンテンツを編集するスクリプト群は通信ネットワーク１１１３から受信することによりインターネット経由で受信するものである。そして、受信したコンテンツおよびスクリプト群のその後の転送および編集処理については上記第１の実施の形態における処理と同様である。
【００９１】
また、上記データ受信装置のデータ受信動作に対応してデータ送信装置では、データ送信部１５０３が、コンテンツはアンテナ１５０９から放送電波を発信することによりディジタル放送経由で送信する一方、コンテンツを編集するためのスクリプト群は通信ネットワーク１１１３へ送出することによりインターネット経由で送信するものである。
【００９２】
（送受信動作２）
この送受信動作では、データ受信装置のデータ受信部１１０１が、コンテンツはアンテナ１１１２から放送電波を取り込むことによりディジタル放送経由で受信し、コンテンツを編集するスクリプト群は蓄積部１１０６の蓄積媒体から取得するものである。そして、スクリプト群を蓄積部１１０６に蓄積するために、スクリプト群が記録されたＤＶＤ−ＲＡＭなどの可搬型記憶媒体１２００をディスク装置１１１０にセットしドライバーを駆動してスクリプト群を読み取り、この読み取られたスクリプト群はインタフェース１１１１を介して蓄積部１１０６へ蓄積される。なお、ディスク装置１１１０の駆動指令、蓄積部１１０６へのスクリプト群の蓄積指令はデータ入力部１１０９からのコマンド入力によって行なわれる。
【００９３】
また、上記データ受信装置のデータ受信動作に対応してデータ送信装置では、データ送信部１５０３が、コンテンツはアンテナ１５０９から放送電波を発信することによりディジタル放送経由で送信する一方、コンテンツを編集するスクリプト群は可搬型記憶媒体１２００に蓄積するものである。そして、スクリプト群を可搬型記憶媒体１２００に記録するために、未記録状態の可搬型記憶媒体１２００をディスク装置１５０７にセットしドライバーを駆動して記録動作を行なう。これにより、スクリプト群は、スクリプト群生成部１５０２からインタフェース１５０８を介してディスク装置１５０７へ転送され可搬型記憶媒体１２００に記録される。このスクリプト群が記録された可搬型記憶媒体１２００が上記データ受信装置においてディスク装置１１１０がスクリプト群を読み取る記憶媒体である。なお、ディスク装置１５０７の駆動指令、スクリプト群生成部１５０２からのスクリプト群のデータの読み出し転送指令はデータ入力部１５０６からのコマンド入力によって行なわれる。
【００９４】
（送受信動作３）
この送受信動作では、データ受信装置のデータ受信部１１０１が、コンテンツ及びコンテンツを編集するスクリプト群を通信ネットワーク１１１３から受信することによりインターネット経由で受信するするものである。
【００９５】
また、上記データ受信装置のデータ受信動作に対応してデータ送信装置では、データ送信部１５０３が、コンテンツ及びコンテンツを編集するスクリプト群を通信ネットワーク１１１３へ送出することによりインターネット経由で送信するものである。
【００９６】
（送受信動作４）
この送受信動作では、データ受信装置のデータ受信部１１０１が、コンテンツは通信ネットワーク１１１３から受信することによりインターネット経由で受信し、コンテンツを編集するスクリプト群は蓄積部１１０６の蓄積媒体から取得するものである。そして、スクリプト群を蓄積部１１０６に蓄積するために、スクリプト群が記録されたＤＶＤ−ＲＡＭなどの可搬型記憶媒体１２００をディスク装置１１１０にセットしドライバーを駆動してスクリプト群を読み取り、この読み取られたスクリプト群はインタフェース１１１１を介して蓄積部１１０６へ蓄積される。なお、ディスク装置１１１０の駆動指令、蓄積部１１０６へのスクリプト群の蓄積指令はデータ入力部１１０９からのコマンド入力によって行なわれる。
【００９７】
また、上記データ受信装置のデータ受信動作に対応してデータ送信装置ではデータ送信部１５０３が、コンテンツは通信ネットワーク１１１３へ送出することによりインターネット経由で送信し、コンテンツを編集するスクリプト群は可搬型記憶媒体１２００に蓄積するものである。そして、スクリプト群を可搬型記憶媒体１２００に記録するために、未記録状態の可搬型記憶媒体１２００をディスク装置１５０７にセットしドライバーを駆動して記録動作を行なう。これにより、スクリプト群は、スクリプト群生成部１５０２からインタフェース１５０８を介してディスク装置１５０７へ転送され可搬型記憶媒体１２００に記録される。このスクリプト群が記録された可搬型記憶媒体１２００が上記データ受信装置においてディスク装置１１１０がスクリプト群を読み取る記憶媒体である。なお、ディスク装置１５０７の駆動指令、スクリプト群生成部１５０２からのスクリプト群のデータの読み出し転送指令はデータ入力部１５０６からのコマンド入力によって行なわれる。
【００９８】
さらに、上記データ受信装置およびデータ送信装置の間におけるコンテンツおよびスクリプト群の送受信動作に際して、データ受信装置のデータ送信部１１０８から自己装置（データ受信装置）の蓄積部１１０６の空き記憶容量はどれだけあるのかといった事柄や、自己装置のＩＤ番号或いはグループＩＤはいくつであるといったような情報（ステータス情報）をデータとして送出すると、データ受信装置ではこの情報を受け取り、その条件に合致したスクリプト群を生成するということもできる。
【００９９】
【発明の効果】
以上のように本発明によれば、コンテンツ及びコンテンツを編集するスクリプト群を受信するデータ受信部と、前記データ受信部により受信されたスクリプト群の中で実行すべスクリプトを選択するスクリプト選択部と、前記スクリプト選択部により選択されたスクリプトを解釈するスクリプト解釈部と、前記スクリプト解釈部により出力された編集手順に基づきコンテンツの編集処理を行なう編集部と、コンテンツ及びスクリプト群を蓄積する蓄積部と、コンテンツ及びスクリプト群を表示する表示部と、全体の制御を行なう制御部とを備えたことにより、１つあるいは複数のコンテンツに対して比較的簡単な編集を施して作成されるコンテンツを選択肢に加え、それらのコンテンツが選択された場合には、データ受信装置側で編集してコンテンツを作成することにより、記録時あるいは再生時に選択できるコンテンツの種類を多くすることができる。
【０１００】
また各種通信手法や可搬型記憶媒体を使ってコンテンツおよびスクリプト群を送受信することができるから、必要なデータを確実かつ迅速に送ることができるなど、種々の効果が得られる。
【図面の簡単な説明】
【図１】本発明の第１の実施の形態におけるデータ受信装置の構成を示すブロック図
【図２】本発明の第１の実施の形態におけるスクリプト選択画面を示す図
【図３】本発明の第１の実施の形態におけるスクリプト例を示す図
【図４】本発明の第１の実施の形態におけるコンテンツの編集例を示す図
【図５】本発明の第１の実施の形態におけるデータ受信装置ＩＤを示す図
【図６】本発明の第１の実施の形態におけるスクリプト例を示す図
【図７】本発明の第１の実施の形態におけるスクリプト例を示す図
【図８】本発明の第１の実施の形態におけるデータ送信装置の構成を示すブロック図
【図９】本発明の第２の実施の形態におけるデータ受信装置の構成を示すブロック図
【図１０】本発明の第２の実施の形態におけるデータ送信装置の構成を示すブロック図
【図１１】従来例におけるデータ受信装置の構成図
【図１２】従来例におけるデータ送信装置の構成図
【符号の説明】
１０１、１１０１、１５０５  データ受信部
１０２、１１０２  スクリプト選択部
１０３、１１０３  スクリプト解釈部
１０４、１１０４  編集部
１０５、１１０５  表示部
１０６、１１０６  蓄積部
１０７、１１０７  制御部
１１０８、５０３、１５０３  データ送信部
１１０９、１５０６  データ入力部
１１１０、１５０７  ディスク装置
１１１１、１５０８  インタフェース
１１１２、１５０９  アンテナ
１１１３  通信ネットワーク
５０１、１５０１  コンテンツ蓄積部
５０２、１５０２  スクリプト群生成部
５０３、１５０３  データ送信部
５０４、１５０４  制御部
【図１】
0004101926.tif 000002
【図２】
0004101926.tif 000003
【図３】
0004101926.tif 000004
【図４】
0004101926.tif 000005
【図５】
0004101926.tif 000006
【図６】
0004101926.tif 000007
【図７】
0004101926.tif 000008
【図８】
0004101926.tif 000009
【図９】
0004101926.tif 000010
【図１０】
0004101926.tif 000011
【図１１】
0004101926.tif 000012
【図１２】
0004101926.tif 000013